(57)【要約】【課題】プラズマディスプレイパネルに於いて、セル内の電極近傍の誘電体及び蛍光体上に蓄積された電荷を減少させる予備放電を弱くしてコントラストを上げるとともに、瞬時に流れる電流を減らして回路負荷を低減する。【解決手段】誘電体及び蛍光体上の電荷の消去と空間電荷の生成をＹ電極に印加する立ち上りが鈍くて繰り返し放電のための電圧まで上昇する第１の消去パルス６と、Ｘ電極に印加する立ち上りが鈍くて放電開始電圧を越える電圧まで上昇するプライミングパルス３と、その後にＹ電極に印加する立ち上りが鈍くて繰り返し放電のための電圧まで上昇する第２の消去パルス７により、それぞれ弱い放電で発光を押さえる。【選択図】  図１
2010097235.tif 000002
【特許請求の範囲】
【請求項１】
第１の基板に平行に配置された第１の電極群及び第２の電極群を誘電体で覆い、前記第１及び前記第２の電極群に対してし直交するように第３の電極群を第２の基板に配置し、前記第１の電極群と前記第２の電極群の間に交互にパルスを印加することによって発光表示を行うＡＣ型プラズマディスプレイパネルの駆動方法において、
前記第１の電極群に交互に印加される前記パルスの内最後のパルスを印加し、前記第２の電極群に徐々に電圧が上昇し、主に壁電荷を消去するための放電を行う第１のパルスを印加し、前記第１の電極群に徐々に電圧が上昇し、主に空間電荷の形成を行う第２のパルスを印加し、次に前記第２の電極群に徐々に電圧が上昇し、主に前記第２のパルスの印加によって生じた壁電荷を消去するための第３のパルスを印加することを特徴とするプラズマディスプレイパネルの駆動方法。
【請求項２】
第１の基板に配置された第１の電極群と、前記第１の電極群と平行になるように前記第１の基板に配置された第２の電極群と、前記第１及び第２の電極群を覆う誘電体層と、第２の基板に前記第１及び第２の電極群と直交するように配置された第３の電極群とを有し、前記第１の電極群及び前記第２の電極群に交互にパルス電圧を印加して繰り返し放電させることにより発光表示を行うＡＣ型プラズマディスプレイパネルの駆動方法に於いて、
前記第１または第２の電極群のうち、繰り返し放電のための最後のパルス電圧が印加された電極群とは異なる電極群に、前記繰り返し放電のための最後のパルス電圧に続いて時間とともに徐々に電圧が高くなり、繰り返し放電のための印加電圧と略等しい電圧まで上昇する第１のパルスを印加し、前記第１のパルスを印加した電極群とは異なる電極群に、前記第１のパルスに続いて時間とともに徐々に電圧が高くなり、放電開始電圧を越える電圧まで上昇する第２のパルスを印加し、前記第２のパルスを印加した電極群とは異なる電極群に、前記第２のパルスに続いて時間とともに徐々に電圧が高くなり繰り返し放電のための印加電圧と略等しい電圧まで上昇する第３のパルスを印加することを特徴とするプラズマディスプレイパネルの駆動方法。
【請求項３】
請求項１または２記載のプラズマディスプレイパネルの駆動方法に於いて、前記第２のパルスは電圧の増加率が時間に比例して高くなり、放電開始電圧を越える電圧まで上昇することを特徴とするプラズマディスプレイパネルの駆動方法。
【請求項４】
請求項１、２または３記載のプラズマディスプレイパネルの駆動方法に於いて、前記第２のパルスの立ち上り部は繰り返し放電のための印加電圧と略等しい電圧までは急峻に立ち上がり、その後、時間とともに徐々に電圧が高くなり、放電開始電圧を越える電圧まで上昇することを特徴とするプラズマディスプレイパネルの駆動方法。
【請求項５】
請求項１、２、３または４記載のプラズマディスプレイパネルの駆動方法に於いて、前記第２のパルスの立ち下がり部は高電圧から時間とともに徐々に電圧が低下し、グランド電位まで下がることを特徴とするプラズマディスプレイパネルの駆動方法。
【請求項６】
請求項１、２、３、４または５記載のプラズマディスプレイパネルの駆動方法に於いて、前記第１のパルスと前記第２のパルスとの間に、前記第１、第２、第３のいずれの電極群にも電圧を印加しないブランク期間を設けることを特徴とするプラズマディスプレイパネルの駆動方法。
【請求項７】
請求項１、２、３、４または５記載のプラズマディスプレイパネルの駆動方法に於いて、前記第２のパルスと前記第３のパルスとの間に、前記第１、第２、第３のいずれの電極群にも電圧を印加しないブランク期間を設けることを特徴とするプラズマディスプレイパネルの駆動方法。
【請求項８】
請求項１、２、３、４または５記載のプラズマディスプレイパネルの駆動方法に於いて、前記第１のパルスと前記第２のパルスとの間に前記第１、前記第２及び前記第３の電極群に電圧を印加しない第１のブランク期間を設け、前記第２のパルスと前記第３のパルスとの間に前記第１、前記第２及び前記第３の電極群に電圧を印加しない第２のブランク期間を設けることを特徴とするプラズマディスプレイパネルの駆動方法。
【請求項９】
請求項１、２、３、４または５記載のプラズマディスプレイパネルの駆動方法に於いて、前記第１のパルスと前記第２のパルスとの間に、前記第１のパルスを印加した電極群に前記第１のパルスとは逆の極性の第４のパルスを印加することを特徴とするプラズマディスプレイパネルの駆動方法。
【請求項１０】
請求項１、２、３、４または５記載のプラズマディスプレイパネルの駆動方法に於いて、前記第３のパルスの後に、前記第３のパルスを印加した電極群に前記第３のパルスとは逆の極性の第５のパルスを印加することを特徴とするプラズマディスプレイパネルの駆動方法。
【請求項１１】
請求項１、２、３、４または５記載のプラズマディスプレイパネルの駆動方法に於いて、前記第１のパルスと前記第２のパルスとの間に前記第１のパルスを印加した電極群に前記第１のパルスとは逆の極性の第４のパルスを印加し、前記第３のパルスの後に前記第３のパルスを印加した電極群に前記第３のパルスとは逆の極性の第５のパルスを印加することを特徴とするプラズマディスプレイパネルの駆動方法。
【請求項１２】
請求項９または１１記載のプラズマディスプレイパネルの駆動方法に於いて、前記第４のパルスはその電圧の絶対値が前記繰り返し放電を行なう前記パルス電圧の絶対値より低く、電圧の印加期間は略１０μｓ以上であることを特徴とするプラズマディスプレイパネルの駆動方法。
【請求項１３】
請求項１０または１１記載のプラズマディスプレイパネルの駆動方法に於いて、前記第５のパルスはその電圧の絶対値が前記繰り返し放電を行なう前記パルス電圧の絶対値より低く、電圧の印加期間は略１０μｓ以上であることを特徴とするプラズマディスプレイパネルの駆動方法。
【請求項１４】
請求項１、２、３、４または５記載のプラズマディスプレイパネルの駆動方法に於いて、１フィールドを複数のサブフィールドに分割し、各サブフィールド毎に発光表示を行い、前記第２のパルスを印加しないサブフィールドを少なくとも１つ以上設けることを特徴とするプラズマディスプレイパネルの駆動方法。
【請求項１５】
請求項１、２、３、４または５記載のプラズマディスプレイパネルの駆動方法に於いて、１フィールドを複数のサブフィールドに分割し、各サブフィールド毎に発光表示を行い、前記第２のパルスを印加しないサブフィールドを少なくとも１つ以上設けると共に、前記第２のパルスを印加しないサブフィールドが連続しないようにすることを特徴とするプラズマディスプレイパネルの駆動方法。
【請求項１６】
請求項１、２、３、４または５記載のプラズマディスプレイパネルの駆動方法に於いて、前記第３のパルスを印加している間、前記第３の電極群に電圧を印加しないようにすることを特徴とするプラズマディスプレイパネルの駆動方法。
【請求項１７】
第１の基板に平行に配置された第１の電極群及び第２の電極群を誘電体で覆い、前記第１及び前記第２の電極群に対してし直交するように第３の電極群を第２の基板に配置し、前記第１の電極群と前記第２の電極群の間に交互にパルスを印加することによって発光表示を行うＡＣ型プラズマディスプレイパネルの駆動方法において、
前記第１の電極群を第１のグループと第２のグループに分けると共に、前記第２の電極群を第１のグループと第２のグループとに分け、前記第１の電極群の前記第１のグループ及び前記第２のグループに交互に印加される前記パルスの内の最後のパルスを印加し、前記第２の電極群の前記第１のグループ及び前記第２のグループに徐々に電圧が上昇し、主に壁電荷を消去するための放電を行う第１のパルスを印加し、前記第１の電極群の前記第１のグループ及び前記第２のグループに徐々に電圧が上昇し、主に空間電荷の形成を行う第２のパルスを印加し、前
記第２の電極群の前記第１のグループに徐々に電圧が上昇し、主に前記第２のパルスの印加によって生じた壁電荷を消去するための第３のパルスを印加した後書込み放電を行い、その後前記第２の電極群の前記第２のグループに徐々に電圧が上昇し、主に前記第２のパルスの印加によって生じた壁電荷を消去するための前記第３のパルスを印加することを特徴とするプラズマディスプレイパネルの駆動方法。
【請求項１８】
基板に配置された第１の電極群と、前記第１の電極群に平行に配置された第２の電極群と、前記第１及び第２の電極群を覆う誘電体層とを有するＡＣ型プラズマディスプレイパネルの駆動方法に於いて、
前記第１の電極群及び第２の電極群の２本一組で発光の最小単位であるセルを構成し、前記セルの集合体を少なくとも第１のセル群と第２のセル群とに分け、前記第１または第２の電極群のうち、繰り返し放電のための最後のパルス電圧を印加した電極群とは異なる電極群に、前記繰り返し放電のための最後のパルス電圧に続いて時間とともに徐々に電圧が高くなり、繰り返し放電のための印加電圧と略等しい電圧まで上昇する第１のパルスを印加し、前記第１のパルスを印加した電極群とは異なる電極群に、前記第１のパルスに続いて時間とともに徐々に電
圧が高くなり、放電開始電圧を越える電圧まで上昇する第２のパルスを印加し、前記第２のパルスを印加した電極群とは異なる電極群の内、前記第１のセル群の電極群に第３のパルスを印加した後、放電するセルを決める書き込み放電を行ない、続いて前記第２のパルスを印加した電極群とは異なる電極群の内、前記第２のセル群の電極群に前記第３のパルスを印加した後、放電するセルを決める書き込み放電を行なうことを特徴とするプラズマディスプレイパネルの駆動方法。
【請求項１９】
請求項１８記載のプラズマディスプレイパネルの製造方法において、前記第３のパルスは時間とともに徐々に電圧が高くなり繰り返し放電のための印加電圧と略等しい電圧まで上昇するように構成されることを特徴とするプラズマディスプレイパネルの駆動方法。
【請求項２０】
第１の基板に平行に配置された第１の電極群及び第２の電極群を誘電体で覆い、前記第１及び前記第２の電極群に対してし直交するように第３の電極群を第２の基板に配置し、前記第１の電極群と前記第２の電極群の間に交互にパルスを印加することによって発光表示を行うＡＣ型プラズマディスプレイパネル装置において、
前記交互に印加される前記パルスの内最後のパルスを前記第１の電極群に印加する手段と、徐々に電圧が上昇し、主に壁電荷を消去するための放電を行う第１のパルスを前記第２の電極群に印加する手段と、徐々に電圧が上昇し、主に空間電荷の形成を行う第２のパルスを前記第１の電極群に印加する手段と、徐々に電圧が上昇し、主に前記第２のパルスの印加によって生じた壁電荷を消去するための第３のパルスを前記第２の電極群に印加する手段とを備えることを特徴とするプラズマディスプレイパネル装置。
【請求項２１】
第１の基板に配置された第１の電極群と、前記第１の電極群に平行になるように前記第１の基板に配置された第２の電極群と、前記第１及び第２の電極群を覆う誘電体層と、前記第１及び第２の電極群と直交するように第２の基板に配置された第３の電極群とを有し、前記第１の電極群に所定の波形で電圧を印加する第１の駆動回路と、前記第２の電極群に所定の波形で電圧を印加する第２の駆動回路と、前記第３の電極群に所定の波形で電圧を印加する第３の駆動回路とを有し、前記第１の電極群及び第２の電極群に交互にパルスを印加して繰り返し放電さ
せることにより発光表示を行うＡＣ型プラズマディスプレイパネル装置に於いて、
前記第１または第２の電極群のうち、繰り返し放電のための最後のパルス電圧を印加した電極群とは異なる電極群に、前記繰り返し放電のための最後のパルス電圧に続いて時間とともに徐々に電圧が高くなり、繰り返し放電のための印加電圧と略等しい電圧まで上昇する第１のパルスを印加する手段と、前記第１のパルスを印加した電極群とは異なる電極群に、前記第１のパルスに続いて時間とともに徐々に電圧が高くなり、放電開始電圧を越える電圧まで上昇する第２のパルスを印加する手段と、前記第２のパルスを印加した電極群とは異なる電極群に、前
記第２のパルスに続いて時間とともに徐々に電圧が高くなり繰り返し放電のための印加電圧と略等しい電圧まで上昇する第３のパルスを印加する手段とを備えることを特徴とするプラズマディスプレイパネル装置。
【請求項２２】
請求項２０または２１記載のプラズマディスプレイパネル装置に於いて、前記第２のパルスは時間に比例して電圧が高くなり、放電開始電圧を越える電圧まで上昇することを特徴とするプラズマディスプレイパネル装置。
【請求項２３】
請求項２０、２１または２２記載のプラズマディスプレイパネル装置に於いて、前記第２のパルスの立ち上り部は繰り返し放電のための印加電圧と略等しい電圧までは急峻に立ち上がり、その後、時間とともに徐々に電圧が高くなり、放電開始電圧を越える電圧まで上昇することを特徴とするＡＣ型プラズマディスプレイパネル装置。
【請求項２４】
請求項２０、２１、２２または２３記載のプラズマディスプレイパネル装置に於いて、前記第２のパルスの立ち下がり部は高電圧から時間とともに徐々に電圧が低下し、グランド電位まで下がることを特徴とするプラズマディスプレイパネル装置。
【請求項２５】
請求項２０、２１、２２、２３または２４記載のプラズマディスプレイパネル装置に於いて、前記第１のパルスと前記第２のパルスとの間に、前記第１、前記第２及び前期第３のいずれの電極群にも電圧を印加しないブランク期間を設けることを特徴とするプラズマディスプレイパネル装置。
【請求項２６】
請求項２０、２１、２２、２３または２４記載のプラズマディスプレイパネル装置に於いて、前記第２のパルスと前記第３のパルスとの間に、前記第１、第２、第３のいずれの電極群にも電圧を印加しないブランク期間を設けることを特徴とするプラズマディスプレイパネル装置。
【請求項２７】
請求項２０、２１、２２、２３または２４記載のプラズマディスプレイパネル装置に於いて、前記第１のパルスと前記第２のパルスとの間に前記第１、前記第２及び前記第３の電極群に電圧を印加しない第１のブランク期間を設け、前記第２のパルスと前記第３のパルスとの間に前記第１、前記第２及び前記第３の電極群に電圧を印加しない第２のブランク期間を設けることを特徴とするプラズマディスプレイパネル装置。
【請求項２８】
請求項２０、２１、２２、２３または２４記載のプラズマディスプレイパネルの駆動方法に於いて、前記第１のパルスと前記第２のパルスとの間に、前記第１のパルスを印加した電極群に前記第１のパルスとは逆の極性の第４のパルスを印加することを特徴とするプラズマディスプレイパネル装置。
【請求項２９】
請求項２０、２１、２２、２３または２４記載のプラズマディスプレイパネル装置に於いて、前記第３のパルスの後に、前記第３のパルスを印加した電極群に前記第３のパルスとは逆の極性の第５のパルスを印加することを特徴とするプラズマディスプレイパネル装置。
【請求項３０】
請求項２０、２１、２２、２３または２４記載のプラズマディスプレイパネル装置に於いて、前記第１のパルスと前記第２のパルスとの間に前記第１のパルスを印加した電極群に前記第１のパルスとは逆の極性の第４のパルスを印加し、前記第３のパルスの後に、前記第３のパルスを印加した電極群に前記第３のパルスとは逆の極性の第５のパルスを印加することを特徴とするプラズマディスプレイパネル装置。
【請求項３１】
請求項２０、２１、２２、２３または２４記載のプラズマディスプレイパネル装置に於いて、１フィールドを複数のサブフィールドに分割し、各サブフィールド毎に発光表示を行い、前記第２のパルスを印加しないサブフィールドを少なくとも１つ以上設けることを特徴とするプラズマディスプレイパネル装置。
【請求項３２】
請求項２０、２１、２２、２３または２４記載のプラズマディスプレイパネル装置に於いて、１フィールドを複数のサブフィールドに分割し、各サブフィールド毎に発光表示を行い、前記第２のパルスを印加しないサブフィールドを少なくとも１つ以上設けると共に、前記第２のパルスを印加しないサブフィールドが連続しないようにすることを特徴とするプラズマディスプレイパネル装置。
【請求項３３】
請求項２０、２１、２２、２３または２４記載のプラズマディスプレイパネル装置に於いて、前記第３のパルスを印加する間、前記第３の電極群に電圧を印加しないことを特徴とするプラズマディスプレイパネル装置。
【請求項３４】
第１の基板に平行に配置された第１の電極群及び第２の電極群を誘電体で覆い、前記第１及び前記第２の電極群に対してし直交するように第３の電極群を第２の基板に配置し、前記第１の電極群と前記第２の電極群の間に交互にパルスを印加することによって発光表示を行うＡＣ型プラズマディスプレイパネル装置において、
前記第１の電極群を第１のグループと第２のグループに分けると共に、前記第２の電極群を第１のグループと第２のグループとに分け、前記交互に印加される前記パルスの内の最後のパルスを前記第１の電極群の前記第１のグループ及び前記第２のグループに印加する手段と、徐々に電圧が上昇し、主に壁電荷を消去するための放電を行う第１のパルスを前記第２の電極群の前記第１のグループ及び前記第２のグループに印加する手段と、徐々に電圧が上昇し、主に空間電荷の形成を行う第２のパルスを前記第１の電極群の前記第１のグループ及び前記第２のグループに印加する手段と、徐々に電圧が上昇し、主に前記第２のパルスの印加によって生じた壁電荷を消去するための第３のパルスを前記第２の電極群の前記第１のグループに印加した後書込み放電を行う手段と、その後徐々に電圧が上昇し、主に前記第２のパルスの印加によって生じた壁電荷を消去するための前記第３のパルスを前記第２の電極群の前記第２のグループに印加する手段とを備える特徴とするプラズマディスプレイパネル装置。
【請求項３５】
基板に配置された第１の電極群と、前記第１の電極群に平行に配置された第２の電極群と、前記第１及び第２の電極群を覆う誘電体層とを有するＡＣ型プラズマディスプレイパネル装置に於いて、
前記第１の電極群及び第２の電極群の２本一組で発光の最小単位であるセルを構成し、前記セルの集合体を少なくとも第１のセル群と第２のセル群とに分け、前記第１または第２の電極群のうち、繰り返し放電のための最後のパルス電圧が印加された電極群とは異なる電極群に、前記繰り返し放電のための最後のパルス電圧に続いて時間とともに徐々に電圧が高くなり、繰り返し放電のための印加電圧と略等しい電圧まで上昇する第１のパルスを印加する手段と、前記第１のパルスを印加した電極群とは異なる電極群に、前記第１のパルスに続いて時間ととも
に徐々に電圧が高くなり、放電開始電圧を越える電圧まで上昇する第２のパルスを印加する手段と、前記第２のパルスを印加した電極群とは異なる電極群の内、前記第１のセル群の電極群に第３のパルスを印加した後、放電するセルを決める書き込み放電を行なう手段と、続いて前記第２のパルスを印加した電極群とは異なる電極群の内、前記第２のセル群の電極群に前記第３のパルスを印加した後、放電するセルを決める書き込み放電を行なう手段とを備えることを特徴とするプラズマディスプレイパネル装置。
【請求項３６】
請求項３５記載のプラズマディスプレイパネル装置において、前記第３のパルスは時間とともに徐々に電圧が高くなり繰り返し放電のための印加電圧と略等しい電圧まで上昇するように構成されることを特徴とするプラズマディスプレイパネル装置。
【発明の詳細な説明】
【技術分野】
【０００１】
本発明はパーソナルコンピュータやワークステーション等のディスプレイ装置、平面型の壁掛けテレビジョン、広告や情報等の表示用のディスプレイに使用して好適なプラズマディスプレイパネルの駆動方法及び装置に関する。
【背景技術】
【０００２】
ＡＣ型プラズマディスプレイパネル（以下、プラズマディスプレイパネルをＰＤＰと云う。）は、電極を誘電体層等によって被覆し、電荷をその誘電体上に蓄積して放電を制御し、放電により発生する紫外線で蛍光体を励起して画像を表示するデバイスである。一般的なＡＣ型ＰＤＰは、１フィールド（１画面）を階調の異なる複数個のサブフィールドに分割し、その重ね合わせによって画像の階調を表現する。各サブフィールドは、画素（セル）内の電極近傍の誘電体及び蛍光体上に蓄積した電荷（壁電荷）を減少させると共に、放電のきっかけとなる空間電荷を形成し、これに続く書き込み放電を起こしやすくする予備放電期間、発光させるセルを選択する書き込み放電期間、発光表示を行う維持放電期間に分けられる。この駆動方法に於いて、各サブフィールドの予備放電期間の予備放電は、表示画像とは無関係な発光であり、コントラストや色再現性を悪くしていた。そこで、表示画像と無関係な発光を減らすため、立ち上りの鈍い高圧パルスで予備放電を行なう方法が、特開平８−１６０９１０号公報（従来例１）に開示されている。また、米国特許第５，７４５，０８６号公報（従来例２）では、立ち上りの鈍い高圧パルスで壁電荷を形成し、その壁電荷を利用して書き込み放電を行なう方法が開示されている。
【先行技術文献】
【特許文献】
【０００３】
【特許文献１】特開平８−１６０９１０号公報
【特許文献２】米国特許第５７４５０８６号明細書
【発明の概要】
【発明が解決しようとする課題】
【０００４】
ＡＣ型ＰＤＰに於いて、コントラストが高く、特に低階調での色の再現性の良い画像の表示を行うためには、上記従来例に示されているように立ち上りの鈍い高圧パルスで予備放電を行う方法がある。しかし、従来例１では、この予備放電によって電極近傍の誘電体上にプラスまたはマイナスの電荷が形成される。この電荷は消去するか、或いは電極に合わせて極性を入れ替える必要がある。ところが、そのための放電も表示画像とは無関係な発光である。このように表示画像と無関係な発光を起こす放電としては、維持放電期間に形成された誘電体上の電荷を消去する放電と、書き込み放電を起こしやすくするための空間電荷を形成するプライミング放電と、プライミング放電で形成された誘電体上の電荷を消去する放電の３種類がある。コントラストを高くするにはこれらの放電を弱くする必要がある。
【０００５】
また、従来例２では、放電により形成される壁電荷量のばらつきが、性能のばらつきとなるためセルの均一性、及び放電の均一性が要求される。例えば、縦横４８０×６４０のテレビジョン並みのＰＤＰでは約９２万セル、１０２４×１２８０の高精細ＰＤＰでは約３９０万セル必要であるため、高精細ＰＤＰのように、セル数が多くなるほど、均一性を得ることは困難になる。
【０００６】
さらに、高精細ＰＤＰでは書き込み動作を行なうセル数が増えるため、１セルの書き込みに割り当てられる時間が短くなり、放電の遅れ時間が問題となる。すなわち、アドレスパルスの印加時間内に書き込み放電が行われない場合がある。そのため、プライミング放電の効果を十分に生かす必要が生じる。
【０００７】
本発明の目的はかかる表示画像とは無関係な発光を起こすすべての放電を弱くして表示画像とは無関係な発光を減らし、コントラストを高くして、色の再現性を向上させるプラズマディスプレイパネルの駆動方法及び装置を提供することにある。
【０００８】
本発明の他の目的は全てのセルを同じように高い電圧で放電させる予備放電を無くすことにより、回路に流れる電流を減らして回路負荷を低減するプラズマディスプレイパネルの駆動方法及び装置を提供することにある。
【０００９】
本発明の更に他の目的は書き込み放電期間の駆動電圧を下げ、プライミング効果を有効に利用して、短い書き込み時間でも安定に駆動できるプラズマディスプレイパネルの駆動方法及び装置を提供することにある。
【課題を解決するための手段】
【００１０】
本発明の目的を達成するために、本発明においては、維持放電期間に形成された誘電体上の電荷を消去する放電と、書き込み放電を起こりやすくするための空間電荷を形成するプライミング放電と、プライミング放電で形成された壁電荷を消去する放電のすべてを立ち上りの鈍いパルスで行ない、これらの放電を弱くして表示画像と無関係な発光を減らしている。また、プライミング放電で形成された壁電荷を消去する際に、アドレス側の電位を制御することでアドレス側に電荷を持たせアドレスの駆動電圧を下げるものである。さらに、プライミング放電で形成された壁電荷の消去を例えば、奇数行と偶数行にわけ、奇数行の壁電荷消去と書き込み、偶数行の壁電荷消去と書き込みの順で駆動することにより、予備放電（この場合は壁電荷消去の放電）から、最後のスキャンパルスまでの時間を短くしてプライミング効果を有効に利用する。
【００１１】
本発明の目的を達成するために、本発明によるプラズマディスプレイパネルの駆動方法は、第１の基板に平行に配置された第１の電極群及び第２の電極群を誘電体で覆い、前記第１及び前記第２の電極群に対してし直交するように第３の電極群を第２の基板に配置し、前記第１の電極群と前記第２の電極群の間に交互にパルスを印加することによって発光表示を行うＡＣ型プラズマディスプレイパネルの駆動方法において、前記第１の電極群に交互に印加される前記パルスの内最後のパルスを印加し、前記第２の電極群に徐々に電圧が上昇し、主に壁電荷を消去するための放電を行う第１のパルスを印加し、前記第１の電極群に徐々に電圧が上昇し、主に空間電荷の形成を行う第２のパルスを印加し、次に前記第２の電極群に徐々に電圧が上昇し、主に前記第２のパルスの印加によって生じた壁電荷を消去するための第３のパルスを印加する。
【００１２】
本発明の目的を達成するために、本発明によるプラズマディスプレイパネルの駆動方法は、第１の基板に配置された第１の電極群と、前記第１の電極群と平行になるように前記第１の基板に配置された第２の電極群と、前記第１及び第２の電極群を覆う誘電体層と、第２の基板に前記第１及び第２の電極群と直交するように配置された第３の電極群とを有し、前記第１の電極群及び前記第２の電極群に交互にパルス電圧を印加して繰り返し放電させることにより発光表示を行うＡＣ型プラズマディスプレイパネルの駆動方法に於いて、前記第１または第２の電極群のうち、繰り返し放電のための最後のパルス電圧が印加された電極群とは異なる電極群に、前記繰り返し放電のための最後のパルス電圧に続いて時間とともに徐々に電圧が高くなり、繰り返し放電のための印加電圧と略等しい電圧まで上昇する第１のパルスを印加し、前記第１のパルスを印加した電極群とは異なる電極群に、前記第１のパルスに続いて時間とともに徐々に電圧が高くなり、放電開始電圧を越える電圧まで上昇する第２のパルスを印加し、前記第２のパルスを印加した電極群とは異なる電極群に、前記第２のパルスに続いて時間とともに徐々に電圧が高くなり繰り返し放電のための印加電圧と略等しい電圧まで上昇する第３のパルスを印加する。
【００１３】
これらのプラズマディスプレイパネルの駆動方法に於いて、前記第２のパルスは電圧の増加率が時間に比例して高くなり、放電開始電圧を越える電圧まで上昇する。また、前記第２のパルスの立ち上り部を繰り返し放電のための印加電圧と略等しい電圧までは急峻に立ち上がり、その後、時間とともに徐々に電圧が高くなり、放電開始電圧を越える電圧まで上昇させると好適である。また、前記第２のパルスの立ち下がり部を高電圧から時間とともに徐々に電圧が低下し、グランド電位まで下げると好適である。
【００１４】
これらプラズマディスプレイパネルの駆動方法に於いて、前記第１のパルスと前記第２のパルスとの間に、前記第１、第２、第３のいずれの電極群にも電圧を印加しないブランク期間を設けると好適である。また、前記第２のパルスと前記第３のパルスとの間に、前記第１、第２、第３のいずれの電極群にも電圧を印加しないブランク期間を設けると好適である。また、前記第１のパルスと前記第２のパルスとの間に前記第１、前記第２及び前記第３の電極群に電圧を印加しない第１のブランク期間を設け、前記第２のパルスと前記第３のパルスとの間に前記第１、前記第２及び前記第３の電極群に電圧を印加しない第２のブランク期間を設けると更に好適である。
【００１５】
これらのプラズマディスプレイパネルの駆動方法に於いて、前記第１のパルスと前記第２のパルスとの間に、前記第１のパルスを印加した電極群に前記第１のパルスとは逆の極性の第４のパルスを印加すると好適である。また、前記第３のパルスの後に、前記第３のパルスを印加した電極群に前記第３のパルスとは逆の極性の第５のパルスを印加すると好適である。また、前記第１のパルスと前記第２のパルスとの間に前記第１のパルスを印加した電極群に前記第１のパルスとは逆の極性の第４のパルスを印加し、前記第３のパルスの後に前記第３のパルスを印加した電極群に前記第３のパルスとは逆の極性の第５のパルスを印加すると更に好適である。
【００１６】
これらのプラズマディスプレイパネルの駆動方法に於いて、前記第４のパルスはその電圧の絶対値が前記繰り返し放電を行なう前記パルス電圧の絶対値より低く、電圧の印加期間は略１０μｓ以上であると好適である。また、前記第５のパルスはその電圧の絶対値が前記繰り返し放電を行なう前記パルス電圧の絶対値より低く、電圧の印加期間は略１０μｓ以上であると好適である。
【００１７】
これらのプラズマディスプレイパネルの駆動方法に於いて、１フィールドを複数のサブフィールドに分割し、各サブフィールド毎に発光表示を行い、前記第２のパルスを印加しないサブフィールドを少なくとも１つ以上設けると好適である。また、１フィールドを複数のサブフィールドに分割し、各サブフィールド毎に発光表示を行い、前記第２のパルスを印加しないサブフィールドを少なくとも１つ以上設けると共に、前記第２のパルスを印加しないサブフィールドが連続しないようにすると更に好適である。また、前記第３のパルスを印加している間、前記第３の電極群に電圧を印加しないようにすると好適である。
【００１８】
本発明の目的を達成するために、本発明によるプラズマディスプレイパネルの駆動方法は、第１の基板に平行に配置された第１の電極群及び第２の電極群を誘電体で覆い、前記第１及び前記第２の電極群に対してし直交するように第３の電極群を第２の基板に配置し、前記第１の電極群と前記第２の電極群の間に交互にパルスを印加することによって発光表示を行うＡＣ型プラズマディスプレイパネルの駆動方法において、前記第１の電極群を第１のグループと第２のグループに分けると共に、前記第２の電極群を第１のグループと第２のグループとに分け、前記第１の電極群の前記第１のグループ及び前記第２のグループに交互に印加される前記パルスの内の最後のパルスを印加し、前記第２の電極群の前記第１のグループ及び前記第２のグループに徐々に電圧が上昇し、主に壁電荷を消去するための放電を行う第１のパルスを印加し、前記第１の電極群の前記第１のグループ及び前記第２のグループに徐々に電圧が上昇し、主に空間電荷の形成を行う第２のパルスを印加し、前記第２の電極群の前記第１のグループに徐々に電圧が上昇し、主に前記第２のパルスの印加によって生じた壁電荷を消去するための第３のパルスを印加した後書込み放電を行い、その後前記第２の電極群の前記第２のグループに徐々に電圧が上昇し、主に前記第２のパルスの印加によって生じた壁電荷を消去するための前記第３のパルスを印加する。
【００１９】
また、本発明によるプラズマディスプレイパネルの駆動方法は、基板に配置された第１の電極群と、前記第１の電極群に平行に配置された第２の電極群と、前記第１及び第２の電極群を覆う誘電体層とを有するＡＣ型プラズマディスプレイパネルの駆動方法に於いて、前記第１の電極群及び第２の電極群の２本一組で発光の最小単位であるセルを構成し、前記セルの集合体を少なくとも第１のセル群と第２のセル群とに分け、前記第１または第２の電極群のうち、繰り返し放電のための最後のパルス電圧を印加した電極群とは異なる電極群に、前記繰り返し放電のための最後のパルス電圧に続いて時間とともに徐々に電圧が高くなり、繰り返し放電のための印加電圧と略等しい電圧まで上昇する第１のパルスを印加し、前記第１のパルスを印加した電極群とは異なる電極群に、前記第１のパルスに続いて時間とともに徐々に電圧が高くなり、放電開始電圧を越える電圧まで上昇する第２のパルスを印加し、前記第２のパルスを印加した電極群とは異なる電極群の内、前記第１のセル群の電極群に第３のパルスを印加した後、放電するセルを決める書き込み放電を行ない、続いて前記第２のパルスを印加した電極群とは異なる電極群の内、前記第２のセル群の電極群に前記第３のパルスを印加した後、放電するセルを決める書き込み放電を行なう。前記第３のパルスは時間とともに徐々に電圧が高くなり繰り返し放電のための印加電圧と略等しい電圧まで上昇するように構成される。
【００２０】
本発明の目的を達成するために、本発明によるプラズマディスプレイパネル装置は、第１の基板に平行に配置された第１の電極群及び第２の電極群を誘電体で覆い、前記第１及び前記第２の電極群に対してし直交するように第３の電極群を第２の基板に配置し、前記第１の電極群と前記第２の電極群の間に交互にパルスを印加することによって発光表示を行うＡＣ型プラズマディスプレイパネル装置において、前記交互に印加される前記パルスの内最後のパルスを前記第１の電極群に印加する手段と、徐々に電圧が上昇し、主に壁電荷を消去するための放電を行う第１のパルスを前記第２の電極群に印加する手段と、徐々に電圧が上昇し、主に空間電荷の形成を行う第２のパルスを前記第１の電極群に印加する手段と、徐々に電圧が上昇し、主に前記第２のパルスの印加によって生じた壁電荷を消去するための第３のパルスを前記第２の電極群に印加する手段とを備える。
【００２１】
また、本発明によるプラズマディスプレイパネル装置は、第１の基板に配置された第１の電極群と、前記第１の電極群に平行になるように前記第１の基板に配置された第２の電極群と、前記第１及び第２の電極群を覆う誘電体層と、前記第１及び第２の電極群と直交するように第２の基板に配置された第３の電極群とを有し、前記第１の電極群に所定の波形で電圧を印加する第１の駆動回路と、前記第２の電極群に所定の波形で電圧を印加する第２の駆動回路と、前記第３の電極群に所定の波形で電圧を印加する第３の駆動回路とを有し、前記第１の電極群及び第２の電極群に交互にパルスを印加して繰り返し放電させることにより発光表示を行うＡＣ型プラズマディスプレイパネル装置に於いて、前記第１または第２の電極群のうち、繰り返し放電のための最後のパルス電圧を印加した電極群とは異なる電極群に、前記繰り返し放電のための最後のパルス電圧に続いて時間とともに徐々に電圧が高くなり、繰り返し放電のための印加電圧と略等しい電圧まで上昇する第１のパルスを印加する手段と、前記第１のパルスを印加した電極群とは異なる電極群に、前記第１のパルスに続いて時間とともに徐々に電圧が高くなり、放電開始電圧を越える電圧まで上昇する第２のパルスを印加する手段と、前記第２のパルスを印加した電極群とは異なる電極群に、前記第２のパルスに続いて時間とともに徐々に電圧が高くなり繰り返し放電のための印加電圧と略等しい電圧まで上昇する第３のパルスを印加する手段とを備える。
【００２２】
これらのプラズマディスプレイパネル装置に於いて、前記第２のパルスは時間に比例して電圧が高くなり、放電開始電圧を越える電圧まで上昇する構成とすると好適である。また、前記第２のパルスの立ち上り部は繰り返し放電のための印加電圧と略等しい電圧までは急峻に立ち上がり、その後、時間とともに徐々に電圧が高くなり、放電開始電圧を越える電圧まで上昇するように構成すると好適である。また、前記第２のパルスの立ち下がり部を高電圧から時間とともに徐々に電圧が低下し、グランド電位まで下がるように構成すると好適である。
【００２３】
前記第１のパルスと前記第２のパルスとの間に、前記第１、前記第２及び前期第３のいずれの電極群にも電圧を印加しないブランク期間を設けると好適である。また、前記第２のパルスと前記第３のパルスとの間に、前記第１、第２、第３のいずれの電極群にも電圧を印加しないブランク期間を設けると好適である。また、前記第１のパルスと前記第２のパルスとの間に前記第１、前記第２及び前記第３の電極群に電圧を印加しない第１のブランク期間を設け、前記第２のパルスと前記第３のパルスとの間に前記第１、前記第２及び前記第３の電極群に電圧を印加しない第２のブランク期間を設けると更に好適である。
【００２４】
これらのプラズマディスプレイパネルの駆動方法に於いて、前記第１のパルスと前記第２のパルスとの間に、前記第１のパルスを印加した電極群に前記第１のパルスとは逆の極性の第４のパルスを印加する。また、前記第３のパルスの後に、前記第３のパルスを印加した電極群に前記第３のパルスとは逆の極性の第５のパルスを印加すると好適である。前記第１のパルスと前記第２のパルスとの間に前記第１のパルスを印加した電極群に前記第１のパルスとは逆の極性の第４のパルスを印加し、前記第３のパルスの後に、前記第３のパルスを印加した電極群に前記第３のパルスとは逆の極性の第５のパルスを印加すると更に好適である。
【００２５】
これらのプラズマディスプレイパネル装置に於いて、１フィールドを複数のサブフィールドに分割し、各サブフィールド毎に発光表示を行い、前記第２のパルスを印加しないサブフィールドを少なくとも１つ以上設ける。また、１フィールドを複数のサブフィールドに分割し、各サブフィールド毎に発光表示を行い、前記第２のパルスを印加しないサブフィールドを少なくとも１つ以上設けると共に、前記第２のパルスを印加しないサブフィールドが連続しないようにする。また、前記第３のパルスを印加する間、前記第３の電極群に電圧を印加しないと好適である。
【００２６】
本発明によるプラズマディスプレイパネル装置は、第１の基板に平行に配置された第１の電極群及び第２の電極群を誘電体で覆い、前記第１及び前記第２の電極群に対してし直交するように第３の電極群を第２の基板に配置し、前記第１の電極群と前記第２の電極群の間に交互にパルスを印加することによって発光表示を行うＡＣ型プラズマディスプレイパネル装置において、前記第１の電極群を第１のグループと第２のグループに分けると共に、前記第２の電極群を第１のグループと第２のグループとに分け、前記交互に印加される前記パルスの内の最後のパルスを前記第１の電極群の前記第１のグループ及び前記第２のグループに印加する手段と、徐々に電圧が上昇し、主に壁電荷を消去するための放電を行う第１のパルスを前記第２の電極群の前記第１のグループ及び前記第２のグループに印加する手段と、徐々に電圧が上昇し、主に空間電荷の形成を行う第２のパルスを前記第１の電極群の前記第１のグループ及び前記第２のグループに印加する手段と、徐々に電圧が上昇し、主に前記第２のパルスの印加によって生じた壁電荷を消去するための第３のパルスを前記第２の電極群の前記第１のグループに印加した後書込み放電を行う手段と、その後徐々に電圧が上昇し、主に前記第２のパルスの印加によって生じた壁電荷を消去するための前記第３のパルスを前記第２の電極群の前記第２のグループに印加する手段とを備える。
【００２７】
また、本発明によるプラズマディスプレイパネル装置は、基板に配置された第１の電極群と、前記第１の電極群に平行に配置された第２の電極群と、前記第１及び第２の電極群を覆う誘電体層とを有するＡＣ型プラズマディスプレイパネル装置に於いて、前記第１の電極群及び第２の電極群の２本一組で発光の最小単位であるセルを構成し、前記セルの集合体を少なくとも第１のセル群と第２のセル群とに分け、前記第１または第２の電極群のうち、繰り返し放電のための最後のパルス電圧が印加された電極群とは異なる電極群に、前記繰り返し放電のための最後のパルス電圧に続いて時間とともに徐々に電圧が高くなり、繰り返し放電のための印加電圧と略等しい電圧まで上昇する第１のパルスを印加する手段と、前記第１のパルスを印加した電極群とは異なる電極群に、前記第１のパルスに続いて時間とともに徐々に電圧が高くなり、放電開始電圧を越える電圧まで上昇する第２のパルスを印加する手段と、前記第２のパルスを印加した電極群とは異なる電極群の内、前記第１のセル群の電極群に第３のパルスを印加した後、放電するセルを決める書き込み放電を行なう手段と、続いて前記第２のパルスを印加した電極群とは異なる電極群の内、前記第２のセル群の電極群に前記第３のパルスを印加した後、放電するセルを決める書き込み放電を行なう手段とを備える。前記第３のパルスは時間とともに徐々に電圧が高くなり繰り返し放電のための印加電圧と略等しい電圧まで上昇するように構成されると好適である。
【発明の効果】
【００２８】
本発明によれば、プラズマディスプレイパネルのコントラストを向上させることができる。また、回路負荷を低減することができる。また、本発明によって、駆動電圧を低減したり、アドレス放電を安定に行なうことができる。
【図面の簡単な説明】
【００２９】
【図１】本発明によるプラズマディスプレイパネルの駆動波形の第１の実施例を示す波形図である。
【図２】本発明を適用するプラズマディスプレイパネルの構造の一部を示す分解斜視図である。
【図３】図２において矢印Ａの方向から見たプラズマディスプレイパネルの断面図である。
【図４】図２において矢印Ｂの方向からみたプラズマディスプレイパネルの断面図である。
【図５】本発明を適用するプラズマディスプレイパネルの電極配置と回路構成を示す模式図である。
【図６】図２に示したプラズマディスプレイパネルに１枚の画を表示するのに要する１フィールドの構成を示す模式図である。
【図７】発光表示期間の最終サステインパルスで放電が行われた後の第１の実施例におけるセル内の電荷の状態を示す模式図である。
【図８】Ｘプライミングパルスで放電が行われた後の第１の実施例における電荷の状態を示す模式図である。
【図９】Ｙ２消去パルスによって誘電体上の電荷が消去された後の第１の実施例におけるセル内の電荷状態を示す模式図である。
【図１０】プラズマディスプレイパネルを駆動する電圧波形の第２の実施例を示す波形図である。
【図１１】プラズマディスプレイパネルを駆動する電圧波形の第３の実施例を示す波形図である。
【図１２】プラズマディスプレイパネルを駆動する電圧波形の第４の実施例を示す波形図である。
【図１３】プラズマディスプレイパネルを駆動する電圧波形の第５の実施例を示す波形図である。
【図１４】プラズマディスプレイパネルを駆動する電圧波形の第６の実施例を示す波形図である。
【図１５】プラズマディスプレイパネルを駆動する電圧波形の第７の実施例を示す波形図である。
【図１６】プラズマディスプレイパネルを駆動する電圧波形の第８の実施例を示す波形図である。
【図１７】プラズマディスプレイパネルを駆動する電圧波形の第９の実施例を示す波形図である。
【図１８】Ｙ２消去パルスによる放電後の第９の実施例におけるセル内の電荷状態を示す模式図である。
【図１９】本発明によるプラズマディスプレイパネルの電極配置と回路構成の一実施例を示す模式図である。
【図２０】プラズマディスプレイパネルを駆動する電圧波形の第１０の実施例を示す波形図である。
【発明を実施するための形態】
【００３０】
以下本発明に実施の形態について、幾つかの実施例を用い、図面を参照して説明する。
【００３１】
図１は本発明によるプラズマディスプレイパネルの駆動波形の第１の実施例を示す波形図であり、図に示す波形図を用いて、本発明のＰＤＰの駆動方法の一実施例について後述する。
【００３２】
図２は本発明を適用するプラズマディスプレイパネルの構造の一部を示す分解斜視図である。図に示すように、前面ガラス基板２１の下面には透明なＸ電極２２と、透明なＹ電極２３が平行に交互に付設されている。また、Ｘ電極２２とＹ電極２３には、それぞれＸバス電極２４とＹバス電極２５が積層付設される。さらに、Ｘ電極２２、Ｙ電極２３、Ｘバス電極２４、Ｙバス電極２５は誘電体２６によって被覆され、その上にＭｇＯ等の保護層２７が付設される。
【００３３】
一方、背面ガラス基板２８の上面には、Ｘ電極２２、Ｙ電極２３と垂直に立体交差する電極（以降アドレス電極と称す）２９が付設され、アドレス電極２９は誘電体３０によって被覆されている、この誘電体３０の上には隔壁３１がアドレス電極２９と平行に設けられている。さらに、隔壁３１の壁面と誘電体３０の上面には蛍光体３２が塗布されている。
【００３４】
図３は図２において矢印Ａの方向から見たプラズマディスプレイパネルの断面図であり、画素の最小単位であるセル１個を示している。この図に於いて、アドレス電極２９は２つの隔壁３１の中間に位置し、前面ガラス基板２１と背面ガラス基板２８、隔壁３１に囲まれた放電空間３３には放電を行わせるためのガスが充填されている。
【００３５】
図４は図２において矢印Ｂの方向からみたプラズマディスプレイパネルの断面図であり、１個のセルを示している。セルの境界は概略点線で示す位置であるが、実際には隔壁等によって区切られているわけではない。
【００３６】
図５は本発明を適用するプラズマディスプレイパネルの電極配置と回路構成を示す模式図である。図に示すように、Ｘ電極２２はＸ駆動回路３４に、Ｙ電極２３はＹ駆動回路３５に、アドレス電極２９はアドレス駆動回路３６に接続され、それぞれの駆動回路により電圧が印加される。
【００３７】
図６は図２に示したプラズマディスプレイパネルに１枚の画を表示するのに要する１フィールドの構成を示す模式図である。本実施例に於いて、１フィールド４０は８個のサブフィールド４１乃至４８に分割される。各サブフィールドは、セル内の電極近傍の誘電体及び蛍光体上に蓄積された電荷を減少させる予備放電期間４１ａ〜４８ａ、発光セルを規定する書き込み放電期間４１ｂ〜４８ｂ、規定されたセルを所定の明るさで発光させる発光表示期間４１ｃ〜４８ｃから構成される。また、最後のサブフィールドの後には放電を行なわないブランク期間４９がある。
【００３８】
図６に示すように、各サブフィールド毎に放電回数を変化させているため、発光表示を行う期間の長さが異なり、異なる明るさの表示ができる。この発光表示期間４１ｃ〜４８ｃを選択的に発光させることにより、表示する画像の階調を表現する。
【００３９】
図６において、１フィールドを構成するサブフィールドはサステインパルス数が多い順に配置されているが、サブフィールドの並び順は任意でよい。
【００４０】
図１はプラズマディスプレイパネルを駆動する電圧波形の第１の実施例を示す波形図である。図において、略１つのサブフィールドとその直前の発光表示期間に各電極に印加される電圧波形を示しており、（ａ）は１本のＸ電極２２に印加される電圧波形、（ｂ）は１本のＹ電極２３に印加される電圧波形、（ｃ）は１本のアドレス電極２９に印加される電圧波形である。また、（ｄ）は放電による発光（例えば、波長が８２８ｎｍ近傍の赤外光）を示す。また、横軸は時間ｔを示す。
【００４１】
図１（ａ）に示す１本のＸ電極２２に印加される電圧波形は、発光表示期間４１ｃ〜４８ｃのサステインパルス１、サステインパルス列の最後でパルス幅を２μｓ以上にした最終サステインパルス２、予備放電期間４１ａ〜４８ａで立ち上りが鈍く、放電を開始する電圧よりも高い電圧を印加するＸプライミングパルス３、書き込み放電期間４１ｂ〜４８ｂのＸスキャンパルス４よりなる。
【００４２】
図１（ｂ）に示す１本のＹ電極２３に印加される電圧波形は、発光表示期間４１ｃ〜４８ｃのサステインパルス５、予備放電期間４１ａ〜４８ａにおいて発光表示期間４１ｃ〜４８ｃで誘電体上に形成された電荷を消去するための立ち上りが鈍く、サステインパルス５と略同じ電圧を印加するＹ１消去パルス６、Ｘプライミングパルス３で誘電体上に形成された電荷を消去するための立ち上りが鈍く、サステインパルス５と略同じ電圧を印加するＹ２消去パルス７、書き込み放電期間４１ｂ〜４８ｂのスキャンパルス８、発光表示期間４１ｃ〜４８ｃの最初のサステインパルス５ａよりなる。尚、最初のサステインパルス５ａの幅は他のサステインパルスの幅と同等又は長く設定する。
【００４３】
図１（ｃ）に示す１本のアドレス電極２９に印加され電圧波形は予備放電期間４１ａ〜４８ａと発光表示期間４１ｃ〜４８ｃにおいて、Ｘ電極２２またはＹ電極２３に印加される正極性の電圧に合わせて印加される規制パルス１０と書き込み放電期間４１ｂ〜４８ｂにおいて発光するセルを規定するアドレス放電を起こすためのアドレスパルス９よりなる。
【００４４】
図１（ｄ）に示す放電発光は、サステインパルス１、２、５、５ａによるサステイン放電１１と、Ｙ１消去パルス６による１乃至複数回の弱い消去放電１２と、Ｘプライミングパルス３による１乃至複数回の弱いプライミング放電１３と、Ｙ２消去パルス７による１乃至複数回の弱い消去放電１４と、アドレスパルス９によるアドレス放電１５による発光がある。この場合、発光しないサブフィールドでは、アドレスパルス９が無く、アドレス放電１５が起こらないため、続くサステイン放電１１と消去放電１２も起こらない。
【００４５】
次に、駆動動作について説明する。
【００４６】
図７は発光表示期間の最終サステインパルスで放電が行われた後の第１の実施例におけるセル内の電荷の状態を示す模式図である。また、図８はＸプライミングパルスで放電が行われた後の第１の実施例における電荷の状態を示す模式図である。図７に示すように、最終サステインパルス２の放電が終了すると、セル内には放電ガスが電離して正電荷３８（プラスイオン）と負電荷３９（電子）が生じる。最終サステインパルス２の電圧はＸ電極２２に印加されるため、負電荷３９はＸ電極２２近傍の誘電体２６上に集まり、正電荷３８はＹ電極２３近傍の誘電体２６上に集まる。尚、誘電体２６上には保護層２７が設けられているが、この保護層２７は厚さが１μｍ以下で有り、非常に薄いため、誘電体２６の一部として説明を省略する。
【００４７】
このように、Ｘ電極２２近傍の誘電体２６上に負電荷３９、Ｙ電極２３近傍の誘電体２６上に正電荷３８が集まった状態で、続く予備放電期間４１ａ〜４８ａではＹ電極２３に正電圧のＹ１消去パルス６が印加される。Ｙ１消去パルス６は立ち上りが鈍いため、徐々に高くなる正電圧と、Ｙ電極２３近傍の誘電体２６上の正電荷３８で生ずる正電圧との和と、Ｘ電極２２近傍の誘電体２６上の負電荷３９で生ずる負電圧との差が、放電開始電圧に達した時点で放電が起こる。この放電により空間に発生した正電荷３８と負電荷３９がそれぞれ誘電体２６上の逆極性の電荷と引き合って中和消去し、誘電体２６上の電荷が減少する。これにより、放電空間に生じる電圧差が小さくなって、放電が停止する。この時の放電は最小の電圧で起こる弱い放電であり、流れる電流は少なく、発生する紫外線量も少ない。この現象は１μｓ以下の短時間に起こる。この後、Ｙ１消去パルス６の電圧がさらに上がると、再び放電が起こり、誘電体２６上に残っている電荷を中和消去する。このようにＹ１消去パルス６によって、１回乃至数回の消去放電１２が起こる。この放電１２による電荷の消去作用が、１回乃至数回繰り返されて、誘電体２６上の電荷を消去する。
【００４８】
続いてＸ電極２２に立ち上りが鈍く、放電を開始する電圧よりも高い電圧を印加するＸプライミングパルス３が印加される。Ｘプライミングパルス３は立ち上りが鈍いため、徐々に電圧が高くなり、Ｙ電極２３側との電圧差が放電開始電圧に達した時点で放電が起こる。この場合、誘電体２６上には電荷が残っていないため、Ｘ電極２２に印加する電圧が放電開始電圧を越える必要が有り、概略３００Ｖ以上である。この放電により、空間に生じた電荷は、電極に印加されている電圧に従って、Ｘ電極２２近傍の誘電体２６上に負電荷３９、Ｙ電極２３近傍の
誘電体２６上に正電荷３８が集まる。この電荷によって、放電空間に生じる電圧差が小さくなると放電は停止する。この後、Ｘプライミングパルス３の電圧がさらに上がると再び放電が起こり、Ｘ電極２２近傍の誘電体２６上に負電荷３９、Ｙ電極２３近傍の誘電体２６上に正電荷３８が集まると共に放電も停止する。このように、Ｘプライミングパルス３によって、１回乃至数回のプライミング放電１３が起こる。この放電１３による電荷生成作用が、１回乃至数回繰り返されることによって、図８に示すように放電空間および誘電体２６上に電荷が生成される。このうち、放電空間に残った電荷は続く書き込み期間のアドレス放電のきっかけとなり、電圧が印加されてから放電が始まるまでの遅れ時間（放電遅れ）を少なくする働きを持つ。以降、この効果をプライミング効果と呼ぶ。尚、この時の放電１３は最小の電圧で起こる弱い放電であり、流れる電流は少なく、発生する紫外線量も少ない。また、この時の誘電体２６上の電荷は図７に示す電荷状態と略同じである。
【００４９】
発光表示期間の最終サステインパルス２で放電が行われなかった場合には誘電体２６上には電荷はなく、Ｙ１消去パルス６での放電は発生しないが、Ｘプライミングパルス３の放電は発生する。
【００５０】
続いてＹ電極２３には正電圧のＹ２消去パルス７が印加される。この際の誘電体２６上の電荷状態とＹ２消去パルス７の波形は、Ｙ１消去パルス６の場合と略同じである。従って、Ｙ電極２３にＹ２消去パルス７が印加されると、同様のメカニズムで１回乃至数回の消去放電１４が発生して誘電体２６上の電荷は中和消去される。
【００５１】
図９はＹ２消去パルスによって誘電体上の電荷が消去された後の第１の実施例におけるセル内の電荷状態を示す模式図であり、放電空間には放電開始のきっかけとなる電荷が生成されている。この放電でもプライミング効果があり、アドレス放電の放電遅れを少なくしている。
【００５２】
なお、規制パルス１０はアドレス電極２９側に正電荷が集まるのを防止するためにアドレス電極２９に印加される。
【００５３】
以上の説明より明らかなように、Ｙ１消去パルス６によって、発光表示期間に誘電体２６近傍に集められた電荷（壁電荷）を消去させ、Ｘプライミングパルス３によって、空間に電荷を形成させ、Ｙ２消去パルス７によって、Ｘプライミングパルス３による放電によって形成された壁電荷を消去して空間に電荷を形成している。このように、空間に電荷を形成することによって、スキャンパルス８及びアドレスパルス９によって、放電遅れを少なくしてアドレス放電１５を発生させることができる。
【００５４】
以上のように黒表示のセルで発生する放電はＸプライミングパルス３による放電とＹ２消去パルス７による放電だけであり、どちらも弱い放電であるため、発光量が少なく、コントラストが高くなる。また、放電電流が少なく、回路の負荷を低減することができる。
【００５５】
以上の実施例ではすべてのサブフィールドにおいて同じ電圧波形を印加しているが、サブフィールド毎に電圧波形を変えてもよい。１例として１乃至複数のサブフィールドにおいてＸプライミングパルス３を印加しなくてもよい。これは、その直前のサブフィールドにおいて放電したセルではＹ１消去パルス６による放電で、アドレス放電のきっかけとなる放電空間の電荷を形成でき、放電しなかったセルではその前のＸプライミングパルス３による放電空間の電荷が残留しているからである。但し、Ｘプライミングパルス３を印加しないサブフィールドが連続した場合、放電空間の電荷は時間とともに急速に減少するため、望ましくはＸプライミングパルス３を印加しないサブフィールドは連続させない方が良い。これにより、さらに表示画像とは関係ない発光を減らし、コントラストを高くすることができる。
【００５６】
次に第２の実施例について、図１０を用いて説明する。  図１０はプラズマディスプレイパネルを駆動する電圧波形の第２の実施例を示す波形図であり、略１つのサブフィールドとその直前の発光表示期間に各電極に印加される電圧波形を示している。図において、（ａ）は１本のＸ電極２２に印加される電圧波形、（ｂ）は１本のＹ電極２３に印加される電圧波形、（ｃ）は１本のアドレス電極２９に印加される電圧波形である。また、（ｄ）は放電による発光を示す。また、横軸は時間ｔを示す。
【００５７】
本実施例においては、Ｘプライミングパルス５１を除くと、図１に示す第１の実施例と同じであり、同一番号を付けて説明を省略する。本実施例において、Ｘプライミングパルス５１はサステインパルス１、２と略等しい電圧までは短時間で立ち上り、その後、立ち上りを鈍くして放電開始電圧を越え、３００Ｖ前後の電圧を印加する。尚、この電圧は、放電ギャップ、放電ガス組成、放電ガス圧力等の条件で変わるものであり、１例として上げたものである。本実施例においても、Ｘプライミングパルス５１が印加される以前に誘電体２６上の電荷は消去さ
れているため、サステインパルスと略等しい電圧では放電することはなく、第１の実施例と同じ動作が得られる上、Ｘプライミングパルス５１の幅を短くすることができる。
【００５８】
次に図１１を用いて、本発明により駆動電圧波形の第３の実施例について説明する。
【００５９】
図１１はプラズマディスプレイパネルを駆動する電圧波形の第３の実施例を示す波形図であり、略１つのサブフィールドとその直前の発光表示期間に各電極に印加される電圧波形を示している。図において、（ａ）は１本のＸ電極２２に印加される電圧波形、（ｂ）は１本のＹ電極２３に印加される電圧波形、（ｃ）は１本のアドレス電極２９に印加される電圧波形である。また、（ｄ）は放電による発光を示す。また、横軸は時間ｔを示す。
【００６０】
本実施例においては、規制パルス５２、５３を除いて、図１０に示す第２の実施例と同じであり、同一番号を付けて説明を省略する。本実施例においてアドレス電極２９に印加される規制パルスは発光表示期間のサステインパルス列１、２、５、５ａからＹ１消去パルス６まで続く規制パルス５２とＸプライミングパルス５１からＹ２消去パルス７まで続く規制パルス５３に分かれる。これにより、Ｙ１消去パルス６とＸプライミングパルス５１の間にＸ電極２２、Ｙ電極２３、アドレス電極２９のいずれにも電圧を印加しない休止期間５４を設ける。この、休止期間５４はサステインパルスによる放電で、セル内に過剰に生成された電荷を中和消去する期間であり、略１０μｓ以上が適当である。休止期間５４を設けることにより、放電空間に過剰に残留した電荷によってＸプライミングパルス５１で誤った放電が起こるのを防止する。すなわち、この残留電荷によって、Ｘプライミングパルス５１を印加すると、強い放電が起き、強く発光することがある。これを防ぐために、残留電荷を中和する休止期間５４を設けている。
【００６１】
尚、この休止期間５４はサブフィールド毎にその直前のサステイン放電の回数に応じて長さを変えてもよい。
【００６２】
次に、図１２を用いて、第４の実施例について説明する。
【００６３】
図１２はプラズマディスプレイパネルを駆動する電圧波形の第４の実施例を示す波形図であり、略１つのサブフィールドとその直前の発光表示期間に各電極に印加される電圧波形を示している。図において、（ａ）は１本のＸ電極２２に印加される電圧波形、（ｂ）は１本のＹ電極２３に印加される電圧波形、（ｃ）は１本のアドレス電極２９に印加される電圧波形である。また、（ｄ）は放電による発光を示す。また、横軸は時間ｔを示す。
【００６４】
本実施例においては、Ｘプライミングパルス５５、５６を除いて、図１１に示す第３の実施例と同じであり、同一番号を付けて説明を省略する。本実施例において、Ｘプライミングパルス５５は立ち下がりを鈍くしてグランド電位まで落ちる電圧降下部５６を有する。Ｘ電極２２およびＹ電極２３近傍の誘電体上に電荷が集まっている場合、Ｘプライミングパルス５５の立ち下がり電圧を急峻に降下させると、この立ち下がりで誤って放電する場合がある。この立ち下がりで放電すると、残留電荷が少なくなり、Ｙ２消去パルス７で放電しなくなることがある。本実施例では立ち下がりを鈍くした電圧降下部５６を設けることにより、この誤放電を防止している。この電圧降下部５６は必ずしもこのような形状にする必要はなく、例えば徐々に立ち下がる直線であってもよいし、他の曲線であってもよい。
【００６５】
次に、図１３を用いて本発明の第５の実施例について説明する。
【００６６】
図１３はプラズマディスプレイパネルを駆動する電圧波形の第５の実施例を示す波形図であり、略１つのサブフィールドとその直前の発光表示期間に各電極に印加する電圧波形を示している。図１３において、（ａ）は１本のＸ電極２２に印加される電圧波形、（ｂ）は１本のＹ電極２３に印加される電圧波形、（ｃ）は１本のアドレス電極２９に印加される電圧波形である。また、（ｄ）は放電による発光を示す。また、横軸は時間ｔを示す。
【００６７】
本実施例においては、規制パルス５７、５８を除いて、図１１に示す第３の実施例と同じであり、同一番号を付けて説明を省略する。本実施例においてアドレス電極２９に印加される規制パルスは発光表示期間のサステインパルス列１、２、５、５ａからＹ１消去パルス６まで続く規制パルス５２と、Ｘプライミングパルス５１の規制パルス５７と、Ｙ２消去パルス７の規制パルス５８に分かれる。これにより、Ｘプライミングパルス５１とＹ２消去パルス７との間にＸ電極２２、Ｙ電極２３、アドレス電極２９のいずれにも電圧を印加しない休止期間５９を設ける。この、休止期間５９はＸプライミングパルス５１による放電で、セル内に過剰に生成された電荷を中和消去する期間であり、略１０μｓ以上が適当である。これにより、放電空間に過剰に残留した電荷により、Ｙ２消去パルス７によって誤った放電が起こるのを防止する。
【００６８】
次に図１４を用いて本発明の第６の実施例について説明する。
【００６９】
図１４はプラズマディスプレイパネルを駆動する電圧波形の第６の実施例を示す波形図であり、略１つのサブフィールドとその直前の発光表示期間に各電極に印加される電圧波形を示している。図において、（ａ）は１本のＸ電極２２に印加される電圧波形、（ｂ）は１本のＹ電極２３に印加される電圧波形、（ｃ）は１本のアドレス電極２９に印加される電圧波形である。また、（ｄ）は放電による発光を示す。また、横軸は時間ｔを示す。
【００７０】
本実施例においては、Ｙ電極２３に印加する第１の幅広消去パルス６０を除いて、図１１に示す第３の実施例と同じであり、同一番号を付けて説明を省略する。本実施例において、第１の幅広消去パルス６０は誘電体２６上に電荷を有する場合に弱い放電を起こし、電荷を消去するように、略−１５０Ｖに設定されている。尚、この電圧は、放電ギャップ、放電ガス組成、放電ガス圧力等の条件で変わるものであり、１例として上げたものである。隣接セルからの電荷のクロストーク等により、Ｙ電極２３近傍の誘電体２６上に負電荷３９が集まるか、Ｘ電極２２近傍の誘電体上に正電荷３８が集まった場合、Ｘプライミングパルス５１で強い放電が起こり、誤動作につながる場合がある。第１の幅広消去パルス６０はこの誘電体上の電荷を放電６１により消去し、Ｘプライミングパルス５１での誤放電を防止する。
【００７１】
次に、図１５を用いて本発明の第７の実施例について説明する。
【００７２】
図１５はプラズマディスプレイパネルを駆動する電圧波形の第７の実施例を示す波形図であり、略１つのサブフィールドとその直前の発光表示期間に各電極に印加される電圧波形を示している。図において（ａ）は１本のＸ電極２２に印加される電圧波形、（ｂ）は１本のＹ電極２３に印加される電圧波形、（ｃ）は１本のアドレス電極２９に印加される電圧波形である。また、（ｄ）は放電による発光を示す。また、横軸は時間ｔを示す。
【００７３】
本実施例においては、Ｙ電極２３に印加する第２の幅広消去パルス６２を除いて、図１４に示す第６の実施例と同じであり、同一番号を付けて説明を省略する。本実施例において、第２の幅広消去パルス６２は誘電体２６上に電荷を有する場合に弱い放電を起こし、電荷を消去するように、略−１５０Ｖに設定されている。尚、この電圧は、放電ギャップ、放電ガス組成、放電ガス圧力等の条件で変わるものであり、１例として上げたものである。隣接セルからの電荷のクロストークやＹ２消去パルス７が強く放電した場合等により、Ｙ電極２３近傍の誘電体２６上に負電荷３９が集まるか、Ｘ電極２２近傍の誘電体２６上に正電荷３８が集まった場合、アドレスパルス９がなくても、スキャンパルス８によって、Ｘ電極２２とＹ電極２３間で誤放電が起こり、誤動作につながる場合がある。第２の幅広消去パルス６２はこの誘電体２６上の電荷を放電６３により消去し、書込み放電期間での誤放電を防止する。
【００７４】
次に、図１６を用いて、本発明の第８の実施例について説明する。
【００７５】
図１６はプラズマディスプレイパネルを駆動する電圧波形の第８の実施例を示す波形図であり、略１つのサブフィールドとその直前の発光表示期間に各電極に印加される電圧波形を示している。図において、（ａ）は１本のＸ電極２２に印加される電圧波形、（ｂ）は１本のＹ電極２３に印加される電圧波形、（ｃ）は１本のアドレス電極２９に印加される電圧波形である。また、（ｄ）は放電による発光を示す。また、横軸は時間ｔを示す。
【００７６】
本実施例においては、Ｘプライミングパルス６４とその放電６５を除いて、図１に示す第１の実施例と同じであり、同一番号を付けて説明を省略する。本実施例においてＸプライミングパルス６４はグランド電位から時間に対して直線的に立ち上り、放電開始電圧を越えて略３００Ｖ以上の電圧を印加する。これにより、セルの放電特性のばらつき、電荷の残留状態のばらつき等があっても、各セルが放電を開始してからの時間的電圧変化が一定であり、動作を均一にすることができる。すなわち、Ｘプライミングパルス６４が放電開始電圧を超えて放電が開始されると、電荷が蓄積される。この電荷の蓄積が一定値を越えると放電が停止される。Ｘプライミングパルス６４の電圧は上昇し続けるため再び放電が開始される。所が、Ｘプライミングパルス６４の電圧は直線的に上昇するため、この放電開始から放電停止に至るサイクル、特に電荷の集積時間が略一定となるため、放電強度の変化を防ぐことができる。尚、Ｘプライミングパルス６４の電圧は、放電ギャップ、放電ガス組成、放電ガス圧力等の条件で変わるものであり、１例として上げたものである。
【００７７】
本実施例において、Ｙ１消去パルス６及びＹ２消去パルス７をパルス６４に示すように時間に対して直線的に立ち上がるように構成してもよい。
【００７８】
以上のように、本実施例１から８では表示に関係ない黒部の発光を低減すると
共に放電電流を低減できる。
【００７９】
次に、図１７、図１８を用いて、本発明の第９の実施例について説明する。
【００８０】
図１７はプラズマディスプレイパネルを駆動する電圧波形の第９の実施例を示す波形図であり、略１つのサブフィールドとその直前の発光表示期間に各電極に印加される電圧波形を示している。
【００８１】
図１８はＹ２消去パルスによる放電後の第９の実施例におけるセル内の電荷状態を示す模式図である。
【００８２】
図１７において、（ａ）は１本のＸ電極２２に印加される電圧波形、（ｂ）は１本のＹ電極２３に印加される電圧波形、（ｃ）は１本のアドレス電極２９に印加される電圧波形である。また、（ｄ）は放電による発光を示す。また、横軸は時間ｔを示す。
【００８３】
図１７に示すように、本実施例においては、規制パルス６６はＹ２消去パルス７の印加されている期間、グランドレベルに保たれる。Ｙ２消去パルス７の放電６７が異なることを除いて、図１に示す第１の実施例と同じであり、同一番号を付けて説明を省略する。本実施例においては、Ｙ２消去パルス７での放電により生成された電荷は、Ｘ電極２２およびＹ電極２３近傍の誘電体２６上の電荷を中和消去すると共に、アドレス電極２９の電圧がグランド電圧であるために、図１８に示すように、一部の正電荷３８はアドレス電極２９側の蛍光体上に蓄積される。このため、一部の負電荷３９はＹ電極２３近傍の誘電体２６上に残り、Ｘ電極２２側にも、正電荷３８が残る。この、残留した電荷は、書き込み放電の際に各電極に印加する電圧の極性と同じであるため、電荷が残留しなかった場合より低い電圧のスキャンパルス８及びアドレスパルス９で放電を起こさせることができる。
【００８４】
次に、図１９、図２０を用いて、本発明の第１０の実施例について説明する。  図１９は本発明によるプラズマディスプレイパネルの電極配置と回路構成の一実施例を示す模式図である。
【００８５】
図に示すように、Ｘ電極は第１のＸ電極２２ａ、第２のＸ電極２２ｂの二つの群に分けられ、それぞれ、Ｘ駆動回路３４ａ、３４ｂに接続されている。Ｙ電極も同様に第１のＹ電極２３ａ、第２のＹ電極２３ｂの二つの群に分けられ、それぞれ、Ｙ駆動回路３５ａ、３５ｂに接続されている。尚、第１のＸ電極２２ａと第１のＹ電極２３ａ、第２のＸ電極２２ｂと第２のＹ電極２３ｂはそれぞれ、同じセル内に配置され、これらの電極の間で放電を行なう。本実施例では第１の電極群は奇数行目のセルの電極であり、第２の電極群は偶数行目のセルの電極である。他の構成要素は図５に示す第１の実施例と同じであり、同一番号を付けて説明を省略する。
【００８６】
図２０はプラズマディスプレイパネルを駆動する電圧波形の第１０の実施例を示す波形図であり、略１つのサブフィールドとその直前の発光表示期間に各電極に印加する電圧波形を示している。図２０において（ａ１）、（ａ２）はそれぞれ奇数行、偶数行の１本のＸ電極に印加される電圧波形、（ｂ１）（ｂ２）はそれぞれ奇数行、偶数行の１本のＹ電極に印加される電圧波形、（ｃ）は１本のアドレス電極２９に印加される電圧波形である。また、（ｄ１）、（ｄ２）はそれぞれ奇数行、偶数行のセルの放電による発光を示す。図において、４ａ、４ｂはＸスキャンパルス、８ａ、８ｂはスキャンパルス、７ａ、７ｂはＹ２消去パルス、９ａ、９ｂはアドレスパルス、６２ａ、６２ｂは第２の幅広消去パルス、５８ａは規制パルス、１４ａはＹ２消去パルス７ａによる放電、１４ｂはＹ２消去パルス７ｂによる放電、６３ａは第１の幅広消去パルス６２ａによる放電、６３ｂは第２の幅広消去パルス６２ｂによる放電、１５ａはアドレスパルス９ａによる書込み放電、１５ｂはアドレスパルス９ｂによる書込み放電である
本実施例においては、Ｙ２消去パルス７ａ、７ｂから最初のサステインパルス５ａの前までの期間、すなわち、Ｙ２消去パルス７ａ、第２の幅広消去パルス６２ａ、及び書き込み放電期間のスキャンパルス８ａを連続する期間の間に、第１電極群である奇数行目のセルの第１のＹ電極２３ａに印加し、第１のＹ電極２３ａにこれらのパルスを印加した後、Ｙ２消去パルス７ｂ、第２の幅広消去パルス６２ｂ、及び書き込み放電期間のスキャンパルス８ｂを第２のＹ電極２３ｂに印加している。このように本実施例においては、第１の電極群である奇数行のセルの電極と第２電極群である偶数行のセルの電極とでパルスを印加する期間を変えている。
【００８７】
Ｘ電極及びＹ電極を第１の電極群及び第２の電極群に分けない場合、Ｙ２消去パルス７で放電を行ない、プライミング効果を持つ電荷を空間に形成しても、空間の電荷は急速に減少するため、Ｙ２消去パルス７印加時から最後のアドレス放電までの時間が長いと、空間に残留している電荷量が少なくなり、プライミング効果が薄れる。従って、Ｙ２消去パルス７印加後から最後のアドレス放電までの時間は短い方が良い。例えば、縦に１０００ラインあるパネルではスキャンパルスの幅を１．５μｓにしても、最後のアドレス放電までの経過時間は１５００μｓである。これに対して、本実施例ではＸ電極及びＹ電極をそれぞれ第１、第２のＸ電極２２ａ、２２ｂ群、第１、第２のＹ電極２３ａ、２３ｂ群に分け、第１の電極群と第２の電極群とでＹ２消去パルス印加期間と書き込み放電期間の期間を分けて放電を行なっているため、半分のラインのアドレス放電を行えばよいので、最後のアドレス放電までの経過時間は半分の７５０μｓである。従って、空間に残留している電荷の量も多いため、プライミング効果によって放電遅れが小さくなる。これにより、動作が安定する。さらに、上下を２分割して、上下の領域に同時にスキャンパルスを印加する方式では、上下のそれぞれの領域の電極を２群に分けることによって、最後のアドレス放電までの経過時間を１／４にできる。
【００８８】
本実施例においては、Ｘ電極及びＹ電極を２群に分けているが、３群以上に別けてもよい。
【００８９】
尚、Ｘプライミングパルス６４も第１電極群である奇数行目のセルの電極と第２電極群である偶数行目のセルの電極で印加する期間を変える手段もあるが、この場合には、回路または回路とパネルをつなぐ線材の部分で隣り合うＸ電極間に３００Ｖ以上の電圧が印加されることになり、線間の耐圧が問題となる。本実施例では隣り合うＹ電極間にかかる電圧はサステインパルスの電圧であり、この電圧は約１８０Ｖであり、低く押さえることができる。
【００９０】
以上述べたように、本発明によれば、プラズマディスプレイパネルのコントラストを向上させることができる。また、回路負荷を低減することができる。また、本発明によって、駆動電圧を低減したり、アドレス放電を安定に行なうことができる。
【符号の説明】
【００９１】
１、５…サステインパルス、３…Ｘプライミングパルス、６…Ｙ１消去パルス、７…Ｙ２消去パルス、８、８ａ、８ｂ…スキャンパルス、９、９ａ、９ｂ…アドレスパルス、１０…規制パルス、２１…前面ガラス基板、２２、２２ａ、２２ｂ…Ｘ電極、２３、２３ａ、２３ｂ…Ｙ電極、２４…Ｘバス電極、２５…Ｙバス電極、２６…誘電体、２７…保護層、２８…背面ガラス基板、２９…アドレス電極、３０…誘電体、３１…隔壁、３２…蛍光体、３３…放電空間、３８…正電荷、３９…負電荷、４０…１フィールド、４１〜４８…サブフィールド、４１〜４８−Ａ…予備放電期間、４１〜４８−Ｂ…書き込み放電期間、４１〜４８−Ｃ…発光表示期間、６０…第１の幅広消去パルス、６２、６２ａ、６２ｂ…第２の幅広消去パルス。
【図１】
2010097235.tif 000003
【図２】
2010097235.tif 000004
【図３】
2010097235.tif 000005
【図４】
2010097235.tif 000006
【図５】
2010097235.tif 000007
【図６】
2010097235.tif 000008
【図７】
2010097235.tif 000009
【図８】
2010097235.tif 000010
【図９】
2010097235.tif 000011
【図１０】
2010097235.tif 000012
【図１１】
2010097235.tif 000013
【図１２】
2010097235.tif 000014
【図１３】
2010097235.tif 000015
【図１４】
2010097235.tif 000016
【図１５】
2010097235.tif 000017
【図１６】
2010097235.tif 000018
【図１７】
2010097235.tif 000019
【図１８】
2010097235.tif 000020
【図１９】
2010097235.tif 000021
【図２０】
2010097235.tif 000022
【手続補正書】
【提出日】平成22年2月4日(2010.2.4)
【手続補正１】
【補正対象書類名】特許請求の範囲
【補正対象項目名】全文
【補正方法】変更
【補正の内容】
【特許請求の範囲】
【請求項１】
第一の電極と、前記第一の電極と対をなす第二の電極と、前記第一の電極及び第二の電極と交差する第三の電極とを有し、複数のサブフィールドを用いて画像を表示するプラズマディスプレイの駆動方法であって、
前記第二の電極は、第一の電極群と第二の電極群を有し、前記第一の電極群にスキャンパルスを印加し前記第三の電極にアドレスパルスを印加することによりセルを選択する第一のアドレス期間と、前記第二の電極群にスキャンパルスを印加し前記第三の電極にアドレスパルスを印加することによりセルを選択する第二のアドレス期間と、前記第一及び第二のアドレス期間にて選択されたセルを放電させる維持放電期間とを有し、
前記第一のアドレス期間の前に、前記第一の電極と前記第二の電極との間に時間とともに第一の方向に電圧が変化する第一のパルスを印加し、前記第一のパルスの印加後に、前記第一の電極と前記第二の電極との間に時間とともに前記第一の方向とは異なる第二の方向に電圧が変化する第二のパルスを印加し、
前記第一のアドレス期間と前記第二のアドレス期間の間に、前記第一の電極と前記第二の電極との間に時間とともに電圧が変化する第三のパルスを１つ印加し、前記第三のパルスは電圧が前記第二の方向にすることを特徴とするプラズマディスプレイの駆動方法。
【請求項２】
前記第二のパルスと前記第三のパルスは同じ電圧値を有することを特徴とする請求項１に記載のプラズマディスプレイパネルの駆動方法。
【請求項３】
前記第一のパルスが印加される前に、前記第一の電極と前記第二の電極との間に時間とともに前記第二の方向に電圧が変化する第四のパルスが印加されることを特徴とする請求項１または２に記載のプラズマディスプレイパネルの駆動方法。
【請求項４】
前記第一のアドレス期間の前には、時間とともに変化するパルスが３つ印加されるのに対し、前記第一のアドレス期間と前記第二のアドレス期間の間には時間とともに変化するパルスが１つ印加されることを特徴とする請求項３に記載のプラズマディスプレイパネルの駆動方法。
【請求項５】
前記第一のパルスは、第一の電極群と第二の電極群にかかわらず、前記第一の電極と前記第二の電極との間に印加されるのに対し、前記第二のパルス又は前記第三のパルスは、前記第一の電極と前記第一の電極群の間又は、前記第一の電極と第二の電極群の間に印加されることを特徴とする請求項１ないし４のいずれかに記載のプラズマディスプレイパネルの駆動方法。
【請求項６】
前記第二のパルス及び第三のパルスは消去パルスであることを特徴とする請求項１ないし５のいずれかに記載のプラズマディスプレイパネルの駆動方法。
【請求項７】
前記第二及び第三のパルスは、アドレス放電を起こりやすくする空間電荷を形成するパルスであることを特徴とする請求項１ないし６のいずれかに記載のプラズマディスプレイパネルの駆動方法。
【請求項８】
前記第一のパルスは、少なくとも１つのサブフィールドにおいて省略されることを特徴とする請求項１ないし７のいずれかに記載のプラズマディスプレイパネルの駆動方法。
【請求項９】
前記第一の電極群は、前記第二の電極の奇数行の電極群であり、前記第二の電極群は、前記第二の電極の偶数行の電極群であることを特徴とする請求項１ないし８のいずれかに記載のプラズマディスプレイパネルの駆動方法。
【請求項１０】
第一の電極と、前記第一の電極と対をなす第二の電極と、前記第一の電極及び第二の電極と交差する第三の電極とを有し、複数のサブフィールドを用いて画像を表示するプラズマディスプレイの駆動方法であって、
前記第二の電極は、第一の電極群と第二の電極群を有し、前記第一の電極群にスキャンパルスを印加し前記第三の電極にアドレスパルスを印加することによりセルを選択する第一のアドレス期間と、前記第二の電極群にスキャンパルスを印加し前記第三の電極にアドレスパルスを印加することによりセルを選択する第二のアドレス期間と、前記第一及び第二のアドレス期間にて選択されたセルを放電させる維持放電期間とを有し、
前記第一のアドレス期間の前に、前記第一の電極と前記第二の電極との間に時間とともに第一の方向に電圧が変化する第一のパルスを印加し、前記第一のパルスの印加後に、前記第一の電極と前記第二の電極との間に時間とともに前記第一の方向とは異なる第二の方向に電圧が変化する第二のパルスを印加し、前記第二のパルスの印加後に、前記第一の電極と前記第二の電極との間に時間とともに前記第一の方向に電圧が変化する第二のパルスを印加し、
前記第二のアドレス期間と前記第一のアドレス期間の間に、前記第一の電極と前記第二の電極との間に時間とともに前記第一の方向に電圧が変化する第四のパルスを印加し、前記第一、第二、及び第三のパルスは同じ電圧値を有することを特徴とするプラズマディスプレイの駆動方法。
【請求項１１】
前記第三のパルス及び第四のパルスは消去パルスであることを特徴とする請求項１０に記載のプラズマディスプレイパネルの駆動方法。
【請求項１２】
前記第三のパルス及び第四のパルスは、アドレス放電を起こりやすくする空間電荷を形成するパルスであることを特徴とする請求項１０または１１に記載のプラズマディスプレイパネルの駆動方法。